(57)【要約】【課題】攪拌される衣類を内蓋に張り付けることにより、乾燥シワを抑制する。【解決手段】ドラム３の開口部を閉じてドラム３と一体に回転する内蓋５が設けられ、内蓋５はドラム３内に送風された乾燥用空気を排気する複数の通風孔９を有することにより、複数の通風孔９を有してドラム３と一体に回転する内蓋５にドラム３内の衣類６が張り付けられ、衣類６が内蓋５によって平坦に伸ばされた状態で乾燥されるとともに、ドラム３の前後での衣類６の回転位相差が抑制されるため、衣類６の乾燥シワおよび衣類６の絡みを抑制することができる。【選択図】図２
2015000153.tif 000002
【特許請求の範囲】
【請求項１】
本体内に回転可能に設けられ、本体前側に開口部を有するドラムと、前記開口部を閉じて前記ドラムと一体に回転する内蓋と、前記ドラムを回転駆動するドラム駆動モータと、前記ドラム内に送風する送風部と、前記ドラム内に送風される乾燥用空気を加熱する加熱部と、前記ドラムから排気された乾燥用空気を除湿する除湿部と、前記ドラム駆動モータ、前記送風部、前記加熱部および前記除湿部を制御する制御部とを備え、前記内蓋は、前記ドラム内に送風された乾燥用空気を排気する複数の通風孔を有するように構成された乾燥機。
【請求項２】
前記通風孔は、前記ドラム内の衣類が前記内蓋の全体に張り付くように構成された請求項１に記載の乾燥機。
【請求項３】
前記通風孔は、前記内蓋の中心より外周に近い位置で円周方向に沿って、略等間隔に設けられた請求項１または２に記載の乾燥機。
【請求項４】
前記通風孔は、前記内蓋の複数の円周方向に沿って設けられ、内周側の円周方向より外周側の円周方向に前記通風孔をより多く有する請求項１〜３のいずれか１項に記載の乾燥機。
【請求項５】
請求項１〜４のいずれか１項に記載の乾燥機において、前記ドラムを内包する水槽を備えるとともに洗濯機能を有し、前記水槽は、前記ドラムから排気された乾燥用空気を前記水槽の外に排気する排気口が前記水槽の前上部に設けられた洗濯乾燥機。
【発明の詳細な説明】
【技術分野】
【０００１】
本発明は、ドラム内で衣類等を乾燥させる乾燥機、およびこの乾燥機で洗濯機能を有する洗濯乾燥機に関するものである。
【背景技術】
【０００２】
従来の洗濯機能を有する洗濯乾燥機が図５に示される（例えば、特許文献１参照）。図５において、洗濯乾燥機は、外箱１０２に内蔵される水槽１０５と、水槽１０５内で回転可能に支持されるドラム１０７と、ドラム１０７を回動させるモータ１１２と、ドラム１０７内に回転可能に設けられる揺動ディスク１１１とを備える。この洗濯乾燥機は、乾燥工程時に、揺動ディスク１１１を、ドラム１０７の正逆回転に対して回転自在とするか、ドラム１０７の正逆回転に抗して固定する。揺動ディスク１１１には洗濯工程や乾燥工程において洗濯物を攪拌するための突起１１１ａが複数個設けられ、また乾燥工程において乾燥用循環風が通過する揺動ディスク循環風孔Ｈ１、Ｈ２、・・・Ｈｎが多数設けられている。または、乾燥工程時に、ドラム１０７をタンブリングの臨界回転数以上で回転するノンタンブリング乾燥を行う場合に、恒率乾燥期に所定の温度上昇を検出すると、ドラム１０７の回転数を該臨界回転より低くして数回転タンブリングさせることもできる。
【０００３】
以上の構成で、洗濯乾燥機は乾燥工程時に、揺動ディスク１１１をドラム１０７の正逆回転に対して回転自在にしたり、ドラム１０７の正逆回転に抗して固定したりすることにより、ドラム１０７内の洗濯物が高温になったり過乾燥になったりすることもなく、乾燥ムラが生じることを防止できる。
【先行技術文献】
【特許文献】
【０００４】
【特許文献１】特開平１０−１２７９９３号公報
【発明の概要】
【発明が解決しようとする課題】
【０００５】
このように、前記従来の洗濯乾燥機は、揺動ディスクがドラムに対して回転自在に設けられているため乾燥ムラが生じることを防止できた。しかしながら、攪拌される衣類が循環風で揺動ディスクに張り付くことはなく、衣類を伸ばした状態で乾燥させ、乾燥シワを抑制することは困難であった。
【０００６】
本発明は、前記従来の課題を解決するもので、乾燥シワを抑制することができる乾燥機を提供することを目的とする。
【課題を解決するための手段】
【０００７】
前記従来の課題を解決するために、本発明の乾燥機は、本体内に回転自在に設けられ、本体前側に開口部を有するドラムと、前記開口部を閉じて前記ドラムと一体に回転する内蓋と、前記ドラムを回転駆動するドラム駆動モータと、前記ドラム内に送風する送風部と、前記ドラム内に送風される乾燥用空気を加熱する加熱部と、前記ドラムから排気された乾燥用空気を除湿する除湿部と、前記ドラム駆動モータ、前記送風部、前記加熱部および除湿部を制御する制御部とを備え、前記内蓋は、前記ドラム内に送風された乾燥用空気を排気する複数の通風孔を有する。
【０００８】
この構成により、複数の通風口を有してドラムと一体に回転する内蓋にドラム内の衣類が張り付けられ、衣類が伸ばされた状態で乾燥されるとともに、ドラムの前後での衣類の
回転位相差が抑制されるため、衣類の乾燥シワおよび衣類の絡みを抑制することができる。
【発明の効果】
【０００９】
本発明の乾燥機は、複数の通風口を有してドラムと一体に回転する内蓋にドラム内の衣類が張り付けられ、衣類が伸ばされた状態で乾燥されるとともに、ドラムの前後での衣類の回転位相差が抑制されるため、衣類の乾燥シワおよび衣類６の絡みを抑制することができる。
【図面の簡単な説明】
【００１０】
【図１】本発明の実施の形態１における洗濯乾燥機の概略構成を示す側面断面図
【図２】同洗濯乾燥機の乾燥作用を表す概略構成図
【図３】同洗濯乾燥機の内蓋の一例を示す平面図
【図４】同洗濯乾燥機の内蓋の他の一例を示す平面図
【図５】従来の洗濯乾燥機の概略構成を示す側面断面図
【発明を実施するための形態】
【００１１】
第１の発明は、本体内に回転自在に設けられ、本体前側に開口部を有するドラムと、前記開口部を閉じて前記ドラムと一体に回転する内蓋と、前記ドラムを回転駆動するドラム駆動モータと、前記ドラム内送風する送風部と、前記ドラム内に送風される乾燥用空気を加熱する加熱部と、前記ドラムから排気された乾燥用空気を除湿する除湿部と、前記ドラム駆動モータ、前記送風部、前記加熱部および前記除湿部を制御する制御部とを備え、前記内蓋は、前記ドラム内に送風された乾燥用空気を排気する複数の通風孔を有するように構成された乾燥機である。この構成により、複数の通風口を有してドラムと一体に回転する内蓋にドラム内の衣類が張り付けられ、衣類が内蓋によって平坦に伸ばされた状態で乾燥されるとともに、ドラムの前後での衣類の回転位相差が抑制されるため、衣類の乾燥シワおよび衣類の絡みを抑制することができる。
【００１２】
第２の発明は、第１の発明において、通風孔は、ドラム内の衣類が内蓋の全体に張り付くように構成されたことにより、ドラム内の衣類が広い範囲で伸ばされ、効率的に乾燥シワを抑制することができる。
【００１３】
第３の発明は、第１または第２の発明において、通風孔は、内蓋の中心より外周に近い位置で円周方向に沿って、略等間隔に設けられたことにより、ドラム内の衣類が内蓋の全体に広がって張り付くようにすることができる。
【００１４】
第４の発明は、第１〜第３のいずれか１つの発明において、通風孔は、内蓋の内周側の円周方向より外周側の円周方向に通風孔をより多く有することにより、ドラム内の衣類が内蓋の全体に広がって張り付くようにすることができるとともに、小さな衣類も広がって張り付くようにすることができる。
【００１５】
第５の発明は、第１〜第４のいずれか１つの発明の乾燥機において、ドラムを内包する水槽を備えるとともに洗濯機能を有し、水槽は、ドラムから排気された乾燥用空気を水槽の外に排気する排気口が水槽の前上部に設けられた洗濯乾燥機である。この構成により、乾燥用空気の循環風路を短縮化して送風部と加熱部の省電力化を図ることができる。そして、洗浄されて脱水されたドラム内の衣類が内蓋の全体に張り付けられ、衣類が内蓋によって平坦に伸ばされた状態で乾燥されるとともに、ドラムの前後での衣類の回転位相差が抑制されるため、衣類の乾燥シワおよび衣類の絡みを抑制することができる。
【００１６】
以下、本発明の実施の形態について、図面を参照しながら説明する。なお、この実施の
形態によって本発明が限定されるものではない。
【００１７】
（実施の形態１）
本実施の形態では、乾燥機であって、洗濯工程、すすぎ工程および脱水工程が行われる洗濯機能と、乾燥工程が行われる乾燥機能とが一体に設けられた洗濯乾燥機について説明される。図１は、本発明の実施の形態１における洗濯乾燥機の概略構成を示す側面断面図である。図２は、同洗濯乾燥機の乾燥作用を表す概略構成図である。
【００１８】
図１と図２において、洗濯乾燥機の本体１内に水槽２が設けられる。水槽２はドラム３を内包し、ドラム３は前側（図面上左側）に開口部を有し、洗濯乾燥される衣類６を収容する。ドラム３は回転可能に設けられ、後面に取り付けられたドラム駆動モータ４によって回転駆動される。ドラム駆動モータ４はブラシレス直流モータで構成される。また、ドラム駆動モータ４は制御部によってインバータ駆動され、回転速度および回転方向を自在に変化させて制御される。ドラム３は、ドラム駆動モータ４側を底面として有底円筒状に形成され、その回転軸４ａは前側が上になるように斜めに配設されている。なお、この回転軸４ａは水平でもよい。
【００１９】
ドラム３には、開口部を開閉する内蓋５が設けられる。本体１の前面上部には、衣類６が出し入れされる開口と、扉７が設けられている。扉７は本体１の開口と水槽２の開口を同時に開閉し、さらに、扉７と内蓋５は連動して開閉するように構成されている。なお、内蓋５は着脱自在に構成され、洗濯乾燥機の運転開始前に使用者が手動で取り付ける構成であってもよい。また、内蓋５および扉７は、使用者がドラム３内の衣類６を視認できるように透明素材で構成されてもよい。
【００２０】
ドラム３の側面内周には、衣類６を撹拌する複数のバッフル８が突設されている。バッフル８は、ドラム３の回転によって衣類６を持ち上げては落下させ、洗浄効果および乾燥効果を向上させる。また、内蓋５にはドラム３内に送風された乾燥用空気を水槽２に排気する複数の通風孔９が設けられている。そして、ドラム３内に送風された乾燥用空気の大部分は内蓋５の複数の通風孔９に流れる構成である。なお、制御部１４によりドラム駆動モータ４および送風部１１を制御することにより、ドラム３に送風された乾燥用空気の大部分を内蓋５の複数の通風孔９に流す作用を有してもよい。
【００２１】
衣類６の乾燥は、乾燥用空気が加熱された温風によって行われる。ドラム３を通過し、水槽２から排気された湿った温風は、除湿部と加熱部とが一体に構成された除湿加熱部１０により除湿され、加熱される。除湿加熱部１０は本体１内で水槽２の上方に設けられ、温風を循環させる送風ファン等の送風部１１は水槽２の後方上部に設けられている。ドラム３へ通じる温風吹出口１２は水槽２の後面下部に設けられ、ドラム３を通過した湿った温風を除湿加熱部１０へ循環させる水槽２の排気口１３は、水槽２の上前部に設けられている。このように構成された循環風路によれば、循環風路を短縮化して送風部１１と加熱部の省電力化を図ることができる。特に、除湿加熱部１０はヒートポンプ装置で構成されると、より省電力化を図ることができて好ましい。
【００２２】
制御部１４は、本体１内の前上部に配設されている。制御部１４は、ドラム駆動モータ４、温風の温度や除湿量を調整する除湿加熱部１０、およびドラム３内に送風される温風の送風量を調整する送風部１１を制御し、洗濯機能と乾燥機能とを有する洗濯乾燥機の運転を行う。
【００２３】
以上のように構成された洗濯乾燥機について、以下にその動作と作用を説明する。使用者は、洗濯物の衣類６をドラム３に収容し、扉７を閉じることによりドラム３の開口部も内蓋５で閉じる。使用者が、洗濯乾燥機の運転を開始すると、制御部１４は、洗濯工程、
すすぎ工程、脱水工程および乾燥工程を行う。脱水工程まで終了し、乾燥工程が開始されると、ドラム３がドラム駆動モータ４によって所定の回転数で回転し、ドラム３内に所定温度の温風が送風される。ドラム３内の湿った衣類６は、ドラム３の回転動作によりバッフル８によって撹拌され、温風との接触により水分が除去されて乾燥が進行する。
衣類６と接触した後の湿った温風は内蓋５の複数の通風孔９を流れ、水槽２に排気され、さらに除湿加熱部１０を通過することにより除湿および再加熱されて乾いた温風となる。そして乾いた温風は、再び送風部１１を介してドラム３内へ送風される。
【００２４】
このとき、内蓋５はドラム３と一体に回転し、内蓋５には衣類６が張り付いた状態となる。図２は、本実施の形態１における洗濯乾燥機の作用を概略的に示す。ドラム３内の温風は、内蓋５の複数の通風孔９から水槽２へ排気されることにより、衣類６が内蓋５のほぼ全体に対して張り付くように作用する。張り付いた衣類６はバッフル８により攪拌されることなく、張り付いた状態をそのまま保持する。これにより、衣類６が内蓋５によって平坦に伸ばされた状態で乾燥されるため、衣類６の乾燥シワを抑制することができる。
【００２５】
また、内蓋５がない従来の構成では、ドラム３の開口部に停止した扉７が覗く構成となり、ドラム３の前後に回転位相差が発生する。しかしながら、本実施の形態によれば、内蓋５がドラム３およびバッフル８と一体に回転することによりドラム３の前後の回転位相差がなくなり、ドラム３内の複数の衣類６が捩れたり絡んだりすることを防止することができる。
【００２６】
図３は内蓋の一例を示す平面図であり、複数の通風孔の構成の一例を概略的に示す。複数の通風孔９は、内蓋５の中心より外周に近い位置で円周方向に沿って、ほぼ等間隔に設けられている。この構成により、ドラム３内の温風は、内蓋５の複数の通風孔９から水槽２内へ排気され、衣類６が内蓋５のほぼ全体に広がって張り付くように作用する。
【００２７】
図４は内蓋の他の一例を示す平面図であり、複数の通風孔の構成の一例を概略的に示す。複数の通風孔９は、内蓋５の内周側の円周方向より外周側の円周方向により多く設けられている。この構成により、ドラム３内の温風は、内蓋５の広範囲に設けられた複数の通風孔９から水槽２内へ排気され、衣類６が内蓋５のほぼ全体に広がって張り付くようにすることができるとともに、小さな衣類も広がって張り付くようにすることができる。
【００２８】
以上のように、本発明の乾燥機は、ドラム３の開口部を閉じてドラム３と一体に回転する内蓋５が設けられ、内蓋５はドラム３内に送風された乾燥用空気を排気する複数の通風孔９を有する。この構成により、複数の通風孔９を有してドラム３と一体に回転する内蓋５にドラム３内の衣類６が張り付けられ、衣類６が内蓋５によって平坦に伸ばされた状態で乾燥されるとともに、ドラム３の前後での衣類６の回転位相差が抑制されるため、衣類６の乾燥シワおよび衣類６の絡みを抑制することができる。
【００２９】
なお、本実施の形態では洗濯乾燥機の乾燥工程について説明したが、洗濯機能を有さない乾燥機であっても、ドラムの開口部を閉じるように設けられる内蓋は、同様の作用と効果を実現することができる。
【産業上の利用可能性】
【００３０】
以上のように、本発明は、乾燥運転中に複数の通風口を有する内蓋にドラム内の衣類が張り付けられる作用を有するため、衣類の乾燥シワおよび衣類の絡みを抑制することができ、ドラム式の乾燥機および洗濯乾燥機として有用である。
【符号の説明】
【００３１】
１  本体
２  水槽
３  ドラム
４  ドラム駆動モータ
５  内蓋
９  通風孔
１０  除湿加熱部
１１  送風部
１３  排気口
１４  制御部
【図１】
2015000153.tif 000003
【図２】
2015000153.tif 000004
【図３】
2015000153.tif 000005
【図４】
2015000153.tif 000006
【図５】
2015000153.tif 000007